(57)【要約】      （修正有）【課題】循環加熱式風呂釜内を洗浄する方法として女子や子供でも簡単に設置することが出来、お風呂の残り湯を用いて風呂釜内を洗浄することが出来る風呂釜洗浄具を提供する。【解決手段】循環式風呂釜内を洗浄する時、入浴が終わったとき湯を抜かずに本考案の風呂釜洗浄用アダプターの通水筒部１１を浴槽８壁面の下部にある吸入口１２に差込み吸着盤９で本体を壁面に固定し、アダプター上部に通水ポンプ２をはめ込み付属ホース４を浴槽壁面にある吐出口１３に差込みその付属ホース４から洗剤を風呂釜内に注入する、注入が終わると付属ホース４の片方を通水ポンプ２の水出口に差し込んでセットが完了する。完了後１０分ほど通水ポンプ２を作動してやれば風呂釜内の湯と洗剤が、風呂を沸かす時と反対の対流で風呂釜内の湯垢等を剥がすように循環し風呂釜内の洗浄が出来る。【選択図】図１
0003145021.tif 000002
【実用新案登録請求の範囲】
【請求項１】
循環加熱式風呂釜と接続する為に浴槽の側壁に形成された循環追焚き用の吸入口に差し込んで取り付ける通水筒部と、
前記通水筒部の一端に設けられたポンプ取付部を備え、
前記ポンプ取付部は、別途用意された通水ポンプの水入口を覆う態様で前記通水ポンプに着脱自在に外嵌する構成であり、
前記外嵌した状態にある前記ポンプ取付部は、前記水入口を前記通水筒部内に連通させる構造を有している、風呂釜洗浄用アダプター。
【請求項２】
前記通水筒部は、前記吸入口に圧入され且つ前記ポンプ取付部側からその反対の先端に向かって次第に細くなるテーパー筒状に形成されている、請求項１に記載の風呂釜洗浄用アダプター。
【請求項３】
全体が弾性樹脂で構成されている、請求項１又は２に記載の風呂釜洗浄用アダプター。
【請求項４】
浴槽側壁に吸着固定するための吸着盤を具備する、請求項１から３の何れかに記載の風呂釜洗浄用アダプター。
【請求項５】
請求項１から４の何れかの風呂釜洗浄用アダプターの前記ポンプ取付部が、通水ポンプの水入口を覆う態様で前記通水ポンプに外嵌して一体化されている、風呂釜洗浄装置。
【考案の詳細な説明】
【技術分野】
【０００１】  本考案は、循環加熱式風呂釜、特に、自然循環加熱式風呂釜内の湯垢やごみを取り除く風呂釜洗浄用アダプター、および、それを具備する風呂釜洗浄装置に関するものである。
【背景技術】
【０００２】  一般家庭で使用される自然循環加熱式風呂釜は、浴槽の壁面の下部に設けた循環追焚き用の吸入口に外側から接続される下部水管と、上部に設けた吐出口に外側から接続される上部水管とによって前記浴槽に連結されており、浴槽水は前記吸入口から下部水管に流入して風呂釜で加熱昇温された後、上部水管から吐出口を経て浴槽内に吐出されて追焚きされる。【０００３】  又、風呂釜内は熱効率を良くするよう迷路の如き構造で、その表面積が広いため、浴槽内で生じた湯垢や髪の毛、石鹸かすなどの湯泥も浴槽水と一緒に風呂釜内に入り、広範囲に亘り附着堆積しやすい。この状態を放置しておくと、微生物の増殖や悪臭発生等の不衛生の原因になると共に加熱効率も低下するので、定期的に洗浄する必要がある。【０００４】  風呂釜を洗浄する従来の技術として、蛇腹容器で吸入口より洗剤を注入して洗う技術が特許文献１に見られ、又、水道水を用いて洗浄する技術としては、特許文献２や特許文献３に開示されたものがある。【０００５】  特許文献４や特許文献５には、ポンプを用いて洗浄する技術が開示されている。
【特許文献１】  特開昭５５−１６３１７０号公報
【特許文献２】  実開平５−４５４９５号公報
【特許文献３】  特開平７−１２０１９４号公報
【特許文献４】  特開２００３−３８３７４号公報
【特許文献５】  特開２００２−３３３２１５号公報
【考案の開示】
【考案が解決しようとする課題】
【０００６】  前記の蛇腹容器や水道水を用いて洗浄する技術では、迷路状の広い表面積を持つ風呂釜内を隈無く洗うことに限界があると思われる。
前記のポンプを用いる方法では、毎日、婦女や子供が使用するには少し面倒であったり、乾電池の力でポンプを回し風呂釜内を洗浄するには少なからず力不足ではないかと考えられる。
更には、前記何れの従来技術による洗浄でも、浴槽水と洗浄水とを分離しにくく、洗浄水が漏れ出てしまう、すなわち裏を返せば、漏れた量だけの洗浄水が浴槽水に混入する状態となる。その場合は２つの不都合が生じる。一は浴槽水を洗浄水で汚す事であり、もう一つは洗浄水に入れた洗剤が浴槽水で希釈される事である。浴槽水を汚せば、この浴槽水を洗濯水として活用できなくなり、エコロジー的に不利である。更に、浴槽水が汚れることによって浴槽壁も汚れることとなる。他の一つの不都合である洗浄水の洗剤が希釈されることは洗浄効率の低下を来す。このような事から、従来技術では効率のよい風呂釜洗浄が困難であるという問題があった。
本考案は、かかる点に鑑みて成されたもので、装置の取り付け手順の複雑さ、浴槽水や広範囲の浴槽壁を汚すことなく風呂釜を洗浄する困難さを解消すると共に、洗浄水のパワフルな循環の持続性維持、洗浄水内の洗剤の希釈防止、特殊装置の使用を必要としないこと、等が解決すべき課題である。
【課題を解決するための手段】
【０００７】  ［請求項１に係る考案］
上記課題を解決するための請求項１に係る考案の解決手段は、
『循環加熱式風呂釜と接続する為に浴槽の側壁に形成された循環追焚き用の吸入口に差し込んで取り付ける通水筒部と、
前記通水筒部の一端に設けられたポンプ取付部を備え、
前記ポンプ取付部は、別途用意された通水ポンプの水入口を覆う態様で前記通水ポンプに着脱自在に外嵌する構成であり、
前記外嵌した状態にある前記ポンプ取付部は、前記水入口を前記通水筒部内に連通させる構造を有している』ことである。
次に、上記解決手段の作用を説明する。
入浴後の浴槽水が冷めないうちに、前記浴槽の側壁に形成された吸入口に本考案の風呂釜洗浄用アダプターの通水筒部を差込んで取り付け、別途用意した付属ホースで風呂釜内に洗剤を入れてから、前記通水筒部の一端に設けられたポンプ取付部に通水ポンプを嵌め込む。この状態では、前記ポンプ取付部は通水ポンプの水入口を通水筒部内に連通させる構造になっている。そこで、通水ポンプの水出口を別途用意した付属ホースで、浴槽の側壁に形成された循環追焚き用の吐出口に接続し、この状態で、通水ポンプを作動さすことにより、風呂釜内で洗剤を循環させて該風呂釜内を洗浄する事により上記課題が解決可能である。
［請求項２に係る考案］
請求項１に係る考案に於いて、
『前記通水筒部は、前記吸入口に圧入され且つ前記ポンプ取付部側からその反対の先端に向かって次第に細くなるテーパー筒状に形成されている』ものとしたもので、通水筒部が吸入口に圧入されて取付状態が安定する。又、通水筒部が、浴槽側壁の吸入口に水密状態に圧入されるから、通水ポンプで強制循環される洗浄水が浴槽内に漏出する不都合が防止される。
［請求項３に係る考案］
請求項１又は２に係る考案に於いて、
『全体が弾性樹脂で構成されている』ものでは、ポンプ取付部が通水ポンプに弾性的に外嵌するから、通水ポンプを強固に保持できる。又、浴槽側壁の吸入口に通水筒部が弾性的に嵌入装着され、これにより、風呂釜洗浄用アダプターの装着状態が安定する。
［請求項４に係る考案］
請求項１〜３の何れかに記載の考案に於いて、
『浴槽側壁に吸着固定するための吸着盤を具備する』ものでは、吸入口に取り付けられた風呂釜洗浄用アダプターが、前記吸着盤で浴槽側壁に吸着固定されて安定する。
［請求項５に係る考案］
『請求項１から４の何れかの風呂釜洗浄用アダプターの前記ポンプ取付部が、通水ポンプの水入口を覆う態様で前記通水ポンプに外嵌して一体化されている、風呂釜洗浄装置』では、通水ポンプに一体化された風呂釜洗浄用アダプターの通水筒部を浴槽側壁の吸入口に差し込むと、そのまま風呂釜の洗浄が可能となる。
【考案の効果】
【０００８】  本考案は、次の特有の効果を有する。
浴槽側壁に形成された追焚き循環用の吸入口に通水筒部を挿入するだけで、風呂釜洗浄用アダプターが浴槽に取り付けられると共に、通水ポンプの水入口を覆う態様で、該通水ポンプにポンプ取付部を外嵌するだけで、洗浄可能状態にセットできる。従って、装置の取り付け手順の複雑さが回避できる。
又、風呂釜の洗浄水が、該風呂釜と通水ポンプの間で循環するから、浴槽内への洗浄水の漏れを最小限に抑えた風呂釜洗浄アダプターとすることができる。よって、その使用によって浴槽内の浴槽水を汚すことなく、同時に風呂釜洗浄水の洗剤を希釈させることなく、適度に強力な水量でもって風呂釜内部の迷路的構造の広い表面積を隈無く洗浄することができる。【０００９】  その構造は単純であるが故に使用方法は簡単であり、重量も軽く、取り扱い性に富む。従って入浴毎に簡単な手順で取り付けることができることから、婦女子供でも簡単に装着でき、常に湯垢の堆積付着を予防出来て風呂釜の加熱効率が高まるのみならず、常に清潔で快適な入浴を楽しむことが出来る。
又、風呂釜洗浄時以外は、風呂釜洗浄用アダプターから通水ポンプを取り外すことにより、該通水ポンプを通常のバスポンプ（浴槽に投入して浴槽水を汲み上げることができるポンプ）として使用することも可能である。【００１０】  本考案は洗浄水の注入方法及びその場所が従来のものと相違するから次の効果も奏する。
即ち、従来技術では風呂釜への吸入口から洗浄水を入れ、吐出口から洗浄水が出るような使用方法が報告されているが、本考案では吐出口から洗浄水を強力に注入する方式をとる。吐出口は一般に熱水が噴き出す事から、熱傷予防のため蓋が取り付けられている。そのため蓋の隙間から洗浄水を押し込んだり取り出したりすることが難しく、漏れが生じる可能性が高い。そこで本考案では、付属ホースで蓋を避けながら洗浄水を注入できるようにした。更には蓋の固定方法を工夫し、少し引き抜くことで蓋が一時的、可逆的に外れ、ホースを挿入しやすくしておくと、洗浄が終了しホースを抜去した後は蓋を元に戻すことができる。この様な機能を持たせるにはバネ弾性などを蓋固定部に用いることで容易に改良可能である。【００１１】  いずれにしても吐出口には蓋が取り付けられているので、水の漏れを無くするような密着したホース挿入は不可能であるので洗浄水が漏れる恐れがある。しかしながら、洗浄水の風呂釜からの取り出しを湯水の吸入口に選び、その部位では、テーパー構造等の手段でもってアダプターと密着接合しているため、洗浄水の循環総量は不変となることから、吐出口に洗浄水を注入する際に密閉性が劣るにしても、現実的には漏れが生じない。その結果、浴槽内の湯をあまり汚すことなく、同時に風呂釜洗浄水の洗剤を希釈させることなく、適度に強力な水量でもって風呂釜内部の迷路的構造の広い表面積を隈無く洗浄することができる。【００１２】  本考案の更なる特徴は洗浄水の注入方向にある。前述の如く、本考案では、追焚き時に於ける浴槽水の循環方向とは逆方向に、洗浄水を風呂釜に注入して循環するような設計である。
この逆方向の流れによって堆積物や目詰まり物質を除去する手法は既に水道などの浄水器でフィルターの目詰まり解消手段として知られた方法である。本考案では、その手法を採用した事によって湯垢を効果的に剥がすように取り除くことが可能となり、総洗浄水量に対する堆積物除去効率は飛躍的に向上した。
【考案を実施するための最良の形態】
【００１３】  以下に、本考案を実施するための最良の形態について添付図面を参照しながら説明する。
本実施の形態に係る風呂釜洗浄用アダプターは、例えば、バランスドフルー型の自然循環加熱式風呂釜に適用される。
図１に示すように、自然循環加熱式の風呂釜本体７は、浴槽８の壁面の下部に設けた循環追焚き用の吸入口１２に外側から接続される下部水管３ａと、上部に設けた吐出口１３に外側から接続される上部水管３ｂとによって浴槽８に連結されており、風呂追焚き時の浴槽水は前記吸入口１２から下部水管３ａに流入して風呂釜本体７内の熱交換器で加熱昇温された後、上部水管３ｂから吐出口１３を経て浴槽８内に吐出される。尚、風呂釜本体７内の熱交換器はバーナー６で加熱されるようになっている。
本実施の形態に係る風呂釜洗浄用アダプターは、全体が弾性樹脂で構成されている。
図１、２に示すように、風呂釜本体７と接続する為に浴槽８の側壁に形成された循環追焚き用の吸入口１２に差し込んで取り付ける通水筒部１１と、該通水筒部１１の一端に設けられたポンプ取付１４部を備えている。
通水筒部１１は、浴槽８の側壁に形成された吸入口１２に圧入され且つ前記ポンプ取付部側からその反対の先端に向かって次第に細くなるテーパー筒状に形成されている。
ポンプ取付部１４は、上方開放の椀状に形成されていると共に、別途用意された通水ポンプ２（本実施の形態では、バスポンプが使用されている。）の水入口２ａを覆う態様で前記通水ポンプ２に着脱自在に外嵌させ得る大きさ・形状を有している。そして、前記外嵌した状態にあるポンプ取付部１４は、通水ポンプ２の水入口２ａを通水筒部１１内に連通させる構造を有している。このため、椀状のポンプ取付部１４の底壁には、通水筒部１１内に連通する透孔が開設されている。
風呂釜洗浄用アダプターのアダプター本体５には、浴槽８の側壁に着脱自在に吸着固定するための、ゴム弾性を有する吸着盤９が取り付けられている。
本考案では、前記通水ポンプ２たる、市販のバスポンプの使用を可能とする浴槽洗浄用アダプターを創意工夫の末、考案した。市販バスポンプは適度な圧力で毎分７〜１２リッター程度の水量を噴出可能であり、この噴出水量が洗剤と一緒に風呂釜（具体的には、熱交換器）内を循環する事により、風呂釜内を洗浄する事が出来る。市販のバスポンプはバッテリーを使用せず一般電源を使用することから、パワフルでありながら軽量であり、取り扱い性に優れ、更には水中で使用する事が前提として設計されているので電気絶縁性は完璧であり、安価に入手可能である。本考案ではこの利点をフルに発揮すべく、市販のバスポンプが使用可能な風呂釜洗浄用アダプターを創成することに工夫を凝らした。【００１４】  通水ポンプ２としてのバスポンプは、一般的には底部から水を吸い込む構造になっているので、バスポンプ毎の底部にフィットするサイズの風呂釜洗浄用アダプターを用意する。一般的にはその底部は直径５ｃｍ前後であることから、その底部をすっぽりと挿入し、外側を覆うような形で外嵌・接合可能な形状のポンプ取付部１４とする。吸着盤と通水ポンプ２たるバスポンプの固定は、この部分にはポンプ作動時においても陽圧が掛からないので吸着盤９をゴム様弾性物質としての弾性樹脂で作成することで、この部分と浴槽側壁との十分な接合が得られるが、作動中に振動で外れる恐れを無くして、より確実に固定するためには、外側か固定バンド等で固定することが好ましい。【００１５】  本考案の風呂釜洗浄用アダプターの通水筒部１１は浴槽８の風呂釜への吸水口１２に挿入する機構になっているが、この部をテーパー状にして挿入及び固定を容易にした。吸水口１２のサイズにもよるが、吸着盤の通水筒部１１の先端の外径を吸水口１２の内径より５ｍｍほど細くし、通水筒部１１の先端から１０ｃｍほど離れた部分の外径を吸水口の内径より５ｍｍほど太くする事で好適なテーパー状態を創ることができた。風呂洗浄用ダプターの材質はゴム弾性を持つ素材であれば何でも良いが、実施例では可塑剤を含むウレタン系のゴムを使用した。【００１６】  通水筒部１１先端が吸水口１２に挿入された後に、その状態を維持するように吸着盤９を浴槽側面に吸着させた結果、アダプターを強く揺することによっても、通水筒部１１先端が吸水口１２から外れることは無かった。【００１７】  装置作動方法としては、入浴後の湯を抜く前に通水筒部１１を浴槽８内の吸入口１２に挿入して浴槽８の壁面に吸着盤９で固定する。次に、通水ポンプ２たるバスポンプの底部をポンプ取付部１４に嵌め込む。この状態では、ポンプ取付部１４の底壁に開設された透孔を介して、通水ポンプ２の水入口２ａが通水筒部１１内に連通する。
付属ホース４を浴槽上部の湯の吐出口１３に差込み、付属ホース４のもう片方から洗剤を風呂釜本体７内に注入する、洗剤を注入した後、注入した付属ホース４の先端をバスポンプのホース接続筒１０に差し込んで、水出口２ｂを循環追焚き用の吐出口１３に接続する。これにより、セットが完了する。尚、付属ホース４で洗剤を風呂釜本体７に注入する作業を行い、その後、ポンプ取付部１４に通水ポンプ２を取り付ける作業を行ってもよい。
セットが完了したら電源を入れバスポンプを稼動さす、洗浄作業は１０分間ほどで完了するので、一度バスポンプの電源を切り、浴槽内の吐出口１３に差込んでいた付属ホース４を抜いて浴槽外に出して再度電源を入れバスポンプを作動させ、数分間のゆすぎ洗いをしたら洗浄完了である。【００１８】  バスポンプはホームセンター等で売られている市販のバスポンプを使用すればよいが、タイムスイッチ附きバスポンプが好便である。
［実施例１］【００１９】  古い風呂釜と浴槽を準備し、風呂釜の側面にのぞき窓を取り付け、水を入れ風呂釜内に洗剤と少量の色粉を入れて、通水ポンプ２を取り付けた本考案の浴槽洗浄用アダプターをセットし通水ポンプ２を作動させ、のぞき窓から風呂釜の中を観察したところ、満遍なく色粉と洗剤が風呂釜の熱交換器の中を循環しながら風呂釜の熱交換器内に附いていた湯垢が剥ぎ取られつつあった。１０分間作動させた後に作動を中止して、再度のぞき窓から風呂釜の中を見たところ風呂釜の熱交換器に附着していた湯垢がきれいに取れているのが確認できた。
［実施例２］【００２０】  近くの団地内の知人５軒にそれぞれ本考案の風呂釜洗浄用アダプターを渡し１週間テストしてもらった所、今までは水道のホースを吸入口から差し込んで風呂釜を洗ったり、蛇腹式の容器で洗剤を風呂釜内に送り込み風呂釜を洗ってから風呂を沸かしていたが、少量の湯垢がどうしても出ていた。今回の装置を取り付け洗浄すると２度目ぐらいまでは少量の湯垢が確認できたが、それ以後湯垢などは確認できず快適な入浴を楽しめたとの報告があった。
［実施例３］【００２１】  前記実施例の５軒のうち、３軒において、入浴後の湯を洗濯機に用いた。その際、本考案の風呂釜洗浄用アダプターに適用する通水ポンプ２たるバスバスポンプを、通常のバスポンプの使用手順と同様に用いたが、ポンプ取付部１４からバスポンプを外し浴槽内に置き、排水ホースを洗濯機内に入れることで、問題なく通常のバスポンプと同様の機能を発揮した。
［実施例４］【００２２】  図３の様に本考案の風呂釜洗浄用アダプターに市販のバスポンプを固定して一体化し、専用の風呂釜洗浄装置、つまり、バスポンプシステムとして使用して見るとしたところ、吸入口１２に差し込むだけで固定することが出来る。このものでは、風呂釜洗浄装置として簡単にセットすることが出来るとともに、バスポンプは安価で入手することが出来るので、洗濯機用と洗浄用とに使い分けて使用する方法もある。
［比較例１］【００２３】  古い風呂釜と浴槽を準備し、風呂釜の側面にのぞき窓を取り付け、水を入れた風呂釜内に既存の蛇腹ポンプ式の洗浄具を用い洗剤を注入し、のぞき窓から風呂釜の中を観察して見たが、１０分たっても隅々までは湯垢があまり剥ぎ取られず、完全に風呂釜内を洗浄するには少なからず無理を感じた。
尚、上記実施の形態では、通水ポンプ２としてバスポンプを使用したが、バスポンプ以外のポンプ、例えば、小型水中ポンプを使用してもよい。
又、強制循環加熱式の風呂釜にも適用できる。
【図面の簡単な説明】
【００２４】
【図１】  アダプターとバスポンプを取り付けたときの全体図
【図２】  アダプター本体と市販のバスポンプ
【図３】  アダプターとバスポンプを一体化し直接吸入口に取り付けたときの全体図
【符号の説明】
【００２５】１・・・電源コード
２・・・通水ポンプ
３ａ・・・下部水管
３ｂ・・・上部水管
４・・・付属ホース
５・・・アダプター本体
６・・・バーナー
７・・・風呂釜本体
８・・・浴槽
９・・・吸着盤
１０・・・ホース接続筒
１１・・・通水筒部
１２・・・吸入口
１３・・・吐出口
【図１】
0003145021.tif 000003
【図２】
0003145021.tif 000004
【図３】
0003145021.tif 000005